(57)【要約】【課題】  基板の実装面に高密度なスペースを確保すること。【解決手段】  光コネクタ１１，１３同士を保持するクランプ部材４１において、本体部４３と、前記光コネクタ１１，１３同士を互いに相手側に向けて弾性力をもって押圧するよう前記本体部４３に接続した保持部４７と、基板５１に固定する固定部４９と、前記本体部４３を前記基板５１の実装面５１ａから離間させて前記固定部４７を前記基板５１に固定するよう前記本体部４３及び前記固定部４７を相互に連結している連結部４９とを有している。【選択図】図２
2006098439.tif 000002
【特許請求の範囲】
【請求項１】
光コネクタ同士の接続状態を維持して保持するクランプ部材において、本体部と、前記光コネクタ同士を互いに相手側に向けて弾性力をもって押圧するよう前記本体部に接続した保持部と、基板に固定する固定部と、前記本体部を前記基板の実装面から離間させて前記固定部を前記基板に固定するよう前記本体部及び前記固定部を相互に連結している連結部とを有していることを特徴とするクランプ部材。
【請求項２】
請求項１記載のクランプ部材において、前記保持部は前記光コネクタ同士を互いに相手側に向けて押圧する押圧片と、該押圧片及び前記本体部間を接続している保持片と押圧片とを有していることを特徴とするクランプ部材。
【請求項３】
請求項２記載のクランプ部材において、前記保持片は前記本体部から前記本体部よりも上方へ向かって傾斜して延びていることを特徴とするクランプ部材。
【請求項４】
請求項１乃至３のいずれか１項に記載のクランプ部材において、前記本体部及び前記連結部の内側における寸法が前記光コネクタの前記高さ方向及び幅方向の寸法よりも大きいことを特徴とするクランプ部材。
【発明の詳細な説明】
【技術分野】
【０００１】
本発明は、基板上で光ファイバ同士を接続する光コネクタ装置を保持するクランプ部材に関するものである。
【背景技術】
【０００２】
従来の基板の実装面に実装する光コネクタ装置は、一対の光ファイバの端部にそれぞれ取り付けられた一対のプラグを互いに突き合せた際に一対のプラグの中心を一致させる調芯部材と、一対のプラグを保持するグリップ（クランプ部材）とを備えている。
【０００３】
グリップは、基板に直接固着可能な平板状の連結部と、この連結部の両端部に形成され、一対のプラグ部を互いに押し合う方向へ付勢するばね部とを有している。
【０００４】
バネ部は一対の押圧片で構成されている。連結部には孔が形成されており、連結部の孔にビスを通して基板にグリップを固着している（例えば、特許文献１を参照）。
【０００５】
【特許文献１】特許第３２８６６０１号公報
【発明の開示】
【発明が解決しようとする課題】
【０００６】
しかしながら、グリップは連結部に形成されている孔を利用して基板にビスにより固定するようにしているので、基板の実装面にグリップの寸法に相当する光コネクタ装置を実装するためのスペースを確保する必要があることから、基板の実装面における実装密度の向上を妨げとなるという問題がある。
【０００７】
それ故に本発明の課題は、基板の実装面に高密度なスペースを確保することができるクランプ部材を提供することにある。
【課題を解決するための手段】
【０００８】
本発明は、光コネクタ同士の接続状態を維持して保持するクランプ部材において、本体部と、前記光コネクタ同士を互いに相手側に向けて弾性力をもって押圧するよう前記本体部に接続した保持部と、前記基板に固定する固定部と、前記本体部を前記基板の実装面から離間させて前記固定部を前記基板に固定するよう前記本体部及び前記固定部を相互に連結している連結部とを有していることを特徴とするクランプ部材であることを最も主要な特徴とする。
【発明の効果】
【０００９】
本発明の光コネクタのクランプ部材によれば、本体部と、光コネクタ同士を互いに相手側に向けて弾性力をもって押圧する本体部に接続した保持部と、基板に固定する固定部と、本体部を基板の実装面から離間させて固定部を基板に固定するように本体部及び固定部を相互に連結している連結部とを有しているので、本体部及び連結部の内側で光コネクタ装置の下方にかつ基板の実装面に電子部品のようなディバイスを実装することが可能となる。
【００１０】
また、本発明の光コネクタのクランプ部材によれば、前記本体部及び前記連結部の内側における寸法が前記光コネクタの前記高さ方向及び幅方向の寸法よりも大きくなっているので、基板の実装面上に上下で二つの光コネクタ装置を積層した状態で実装することが可能となる。
【００１１】
よって、本発明のクランプ部材を利用すると、基板の実装面にディバイスや他の光コネクタ装置を実装することができるので、基板の実装面に高密度なスペースを確保することができる。
【発明を実施するための最良の形態】
【００１２】
本発明のクランプ部材は、光コネクタ同士の接続状態を維持して保持するものであり、本体部と、該光コネクタ同士を互いに相手側に向けて弾性力をもって押圧するよう前記本体部に接続した保持部と、基板に固定する固定部と、前記本体部を前記基板の実装面から離間させて前記固定部を前記基板に固定するよう前記本体部及び前記固定部を相互に連結している連結部とを有していることにより実現した。
【実施例１】
【００１３】
図１は、本発明に係るクランプ部材の実施例１とともに、クランプ部材によって保持されている光コネクタ装置を示している。図２は、図１に示したクランプ部材を示している。
【００１４】
図１及び図２を参照して、光コネクタ装置１は、第１の光コネクタ１１と、第２の光コネクタ２１と、第１及び２の光コネクタ１１，２１を相互に接続するアダプタ３１とを有している。
【００１５】
第１の光コネクタ１１は、第１の光ファイバ１３を保持している第１のプラグ１５を有している。第２の光コネクタ２１は、第１の光ファイバ１３に接続する第２の光ファイバ２３を保持している第２のプラグ２５を有している。
【００１６】
第１及び第２のプラグ１５,２５は、アダプタ３１を介して第１の軸線Ｘ（図１を参照）で対向させることによって相互に接続されている。第１及び第２のプラグ１５,２５内に挿入された第１及び第２の光ファイバ１３,２３のそれぞれは、アダプタ３１内で第１の軸線Ｘを直交する第２の軸線Ｙ（図２を参照）方向で整列されている。ここで、第１及び第２の軸線Ｘ，Ｙは、仮想平面において互いに直交する軸線であり、この仮想平面に第１及び第２の軸線Ｘ，Ｙを含むものとして以下の説明をする。
【００１７】
第１及び第２の光ファイバ１３,２３第１及び第２のプラグ１５,２５の中心を一致させて整列するスリーブのような調芯部材（図示せず）により調芯されて当接されている。第１及び第２の光ファイバ１３,２３の端面同士は、アダプタ３１を介して第１及び第２のプラグ１５,２５が互いに突き合される。
【００１８】
第１及び第２の光コネクタ１１，２１同士の接続状態は、第１及び第２のプラグ１５，２５を互いに押し合う方向へ付勢するクランプ部材４１によって維持される。クランプ部材４１は、本体部４３と、第１及び第２の光コネクタ１１，２１同士を接続した状態で保持する複数の保持部４５と、本体部４３に対して平行に形成されている一対の固定部４７と、本体部４３及び一対の固定部４７を相互に連結している一対の連結部４９とを有している。
【００１９】
本体部４３は、第１の軸線Ｘ方向における寸法よりも第１の軸線Ｘ方向を直交する第２の軸線Ｙ方向における寸法が大きい寸法の平板である。第２の軸線Ｙ方向における本体部４３の寸法は、第１及び第２の光コネクタ１１，２１における第２の軸線Ｙ方向における寸法よりも大きい寸法となっている。
【００２０】
保持部４５は、保持片４５ａと、保持片４５ｂの先端に接続されている押圧片４５ｂとを有している。実施例１における保持片４５ａは、本体部４３の第２の軸線Ｙに平行な一辺から第１の軸線Ｘの一方向へ延びている長帯板状の二つと、本体部４３の第２の軸線Ｙに平行なもう一辺から第１の軸線Ｘのもう一方向へ延びている長帯板状の二つとからなる。
【００２１】
保持片４５ａは、本体部４３の二辺から第１の軸線Ｘ方向へかつ本体部４３の上面４３ａよりも上方へ向かって傾斜して延びている。押圧片４５ｂは、保持片４５ａの先端からほぼ直角に上方へ曲げられている。
【００２２】
また、保持片４５ａの先端から上方に延びている押圧片４５ｂの先端部分は、中間部分から若干外向きに曲げられている。即ち、保持部４５は、第１及び第２のプラグ１５，２５を互いに押し合う方向へ付勢し、弾性力及び復元力をもつ板バネの機能を有する。
【００２３】
押圧片４５ｂは、図１及び図２によって明らかなように、押圧片４５ｂが第１の軸線Ｘ方向で互いに対向しており、押圧片４５ｂを図１及び図２の前方から見ると、略「く」の字もしくは逆「く」の字形状を呈している。
【００２４】
一対の固定部４７は、本体部４３と略平行な板である。一対の固定部４７は、本体部４３の第２の軸線Ｙ方向における両端よりも第２の軸線Ｙ方向で外へ向かって延びている。固定部４７は、クランプ部材４１を基板５１に固定させる部分である。
【００２５】
連結部４９は、基板５１の実装面５１ａから本体部４３までの距離Ｓ１が第１及び第２の軸線Ｘ，Ｙを直交する方向の第１及び第２の光コネクタ１１，２１の寸法よりも大きくなるように本体部４３を交差する方向へ延在している。
【００２６】
さらに、連結部４９は、本体部４３の第２の軸線Ｙ方向における両端から互いに対向するように、かつ本体部４３の上面４３ａとは反対方向へ略直角に曲げられて固定部４７に接続されている。一対の連結部４９間は、第２の軸線Ｙ方向の第１及び第２の光コネクタ１１，２１の寸法よりも大きい距離Ｓ２（図２を参照）となっている。
【００２７】
次に、クランプ部材４１を基板５１に実装し、光コネクタ装置１をクランプ部材４１に保持する作業について、以下に説明する。
【００２８】
図３及び図４は、図１に示した光コネクタ装置１を保持したクランプ部材４１を基板５１に実装した状態を示している。なお、図４は、図３に示した光コネクタ装置１が保持されているクランプ部材４１を基板５１に実装した状態を図３の一側方向（図３に示した矢印Ａ方向）で斜め上方から見た状態を示している。
【００２９】
図１乃至図４を参照して、クランプ部材４１は、固定部４７に形成されているネジ孔４７ａにネジ（図示せず）をと通して基板５１にネジ締めすることによって固定される。
【００３０】
図１に示したように、保持部４５の保持片４５ａ上には、光コネクタ装置１が置かれる。この際、光コネクタ装置１の第１及び第２の光コネクタ１１，２１の底面が保持片４５ａに対向する。一方の二つの保持片４５ａには、第１の光コネクタ１１の端部が当接するように設置される。もう一方の二つの保持片４５ａには、第２の光コネクタ２１の端部が当接するように設置される。
【００３１】
さらに、第１及び第２の光コネクタ１１，２１における第１の軸線Ｘに対して直角な後端面１５ａ，２５ａは、一方及びもう一方の押圧片４５ｂ間で第１及び第２の光コネクタ１１，２１同士を接続した状態で互いに相手側に向けて弾性力をもって第１及び第２の光コネクタ１１，２１同士を押圧して保持される。
【００３２】
なお、第１及び第２の光コネクタ１１，２１は、第１及び第２の光ファイバ１３，２３のいずれか一方の撓みの反力を利用して第１及び第２の光ファイバ１３，２３端面同士を密着させる構造となっている。
【００３３】
したがって、光コネクタ装置１では、第１及び第２のプラグ１５，２５とアダプタ３１との基準面１５ｃ，２５ｃの当接を維持する必要がある。保持部４５が弾性変形することにより第１の軸線Ｘ方向に押圧し、基準面１５ｃ，２５ｃの当接を行っている。
【００３４】
図５は、図４に示した光コネクタ装置１を保持したクランプ部材４１の下方で基板５１の実装面５１ａに電子部品のようなディバイス６１を実装した状態を示している。
【００３５】
図５によって明らかなように、クランプ部材４１の本体部４３及び一対の連結部４９の内側に第１及び第２の軸線Ｘ，Ｙ方向を含む仮想平面を直交する方向の距離Ｓ１と、一対の連結部４９間の第２軸線Ｙ方向における距離Ｓ２をもっているので、光コネクタ装置１の下方における基板５１の実装面５１ａに電子部品のようなディバイス６１を実装することが可能となる。
【００３６】
図６は、図４に示した光コネクタ装置１を保持したクランプ部材４１の下方で基板５１の実装面５１ａにもう一つ別な光コネクタ装置１′を実装した状態を示している。図７は、別な光コネクタ装置１′を保持したクランプ部材４１′を示している。なお、図１及び図２と同じ部分には、同じ符号を付して同じ部分の説明を省略する。
【００３７】
図６によって明らかなように、基板５１の実装面５１ａ上には、本体部４３及び一対の連結部４９の内側に第１及び第２の軸線Ｘ，Ｙ方向を含む仮想平面を直交する方向の距離Ｓ１と、一対の連結部４９間における第２軸線Ｙ方向の距離Ｓ２をもっているので、距離Ｓ１，距離Ｓ２の範囲内に光コネクタ装置１と同様な外形寸法をもつ別な光コネクタ装置１′とクランプ部材４１′を光コネクタ装置１とともに積層状態で実装している。
【００３８】
即ち、基板５１の実装面５１ａ上には、光コネクタ装置１をクランプ部材４１に保持することにより実装し、下方の光コネクタ装置１′は基板５１に直接実装している。クランプ部材４１の下方に実装した光コネクタ装置１′は、図６及び図７に示すように、クランプ部材４１′に保持されているが、このクランプ部材４１′には一方の光コネクタ装置１を保持しているクランプ部材４１から固定部４７及び連結部４９が除かれている形状のものである。
【００３９】
本体部４３及び連結部４９の内側における寸法は、第１及び第２の軸線Ｘ,Ｙを直交する方向における光コネクタ装置１の高さ方向、及び第２の軸線Ｙ方向における幅方向の寸法よりも大きい。
【００４０】
クランプ部材４１の下方で基板５１の実装面４１ａに実装した光コネクタ装置１′は、クランプ部材４１′に保持されているが、連結部４９を基板５１の実装面５１ａ及び本体部４３間の距離Ｓ１を第１及び第２の軸線Ｘ，Ｙを直交する方向で大きくすることで、クランプ部材４１の下にクランプ部材４１′に保持した光コネクタ装置１′を実装することが可能である。
【００４１】
図４乃至図６によって説明したように、クランプ部材４１を利用すると、基板５１の実装面５１ａにディバイス６１やもう一つの別な光コネクタ装置１′を実装することができるので、基板５１の実装面５１ａに高密度実装が実現可能となる。
【００４２】
なお、実施例１においては、クランプ部材４１をネジにより固定する方法を記述したが、固定部４７を基板５１に圧入する構造、又は半田付けによる固定構造にしても対応できる。
【００４３】
また、一対の固定部４７及び一対の連結部４９を有するクランプ部材４１によって説明したが、本体部４３の第２の軸線Ｙ方向における一方にのみ固定部４７及び連結部材４９を接続した構成であってもよい。この際、本体部４３の第２の軸線Ｙ方向における他方は、本体部４３を支持する支持部によって支えるようにすることも可能である。
【図面の簡単な説明】
【００４４】
【図１】本発明に係るクランプ部材と、このクランプ部材に保持した光コネクタ装置とを基板の一部に実装した状態を示す斜視図である（実施例１）。
【図２】図１に示したクランプ部材を示した斜視図である。
【図３】図１に示した光コネクタ装置を保持したクランプ部材を基板に実装した状態の全体構成を示した斜視図である。
【図４】図３に示した光コネクタ装置を保持したクランプ部材を基板に実装した状態を図３の一側方向から斜め上方から見た状態を示す斜視図である。
【図５】図４に示した光コネクタ装置を保持したクランプ部材の下方の基板上にディバイスを実装した状態を示す斜視図である。
【図６】図４に示した光コネクタ装置を保持したクランプ部材の下方の基板上にもう一つの光コネクタ装置を実装した状態を示す斜視図である。
【図７】図６に示したクランプ部材の下方の基板上に実装したもう一つの光コネクタ装置を示す斜視図である。
【符号の説明】
【００４５】
１，１′    光コネクタ装置
１１    第１の光コネクタ
１３    第１の光ファイバ
１５    第１のプラグ
１５ａ，２５ａ    後端面
１５ｃ，２５ｃ    基準面
２１    第２の光コネクタ
２３    第２の光ファイバ
２５    第２のプラグ
３１    アダプタ
４１    クランプ部材
４３    本体部
４５    保持部
４５ａ    保持片
４５ｂ    押圧片
４７    固定部
４９    連結部
６１  ディバイス
Ｓ１，Ｓ２    距離
Ｘ    第１の軸線
Ｙ    第２の軸線
【図１】
2006098439.tif 000003
【図２】
2006098439.tif 000004
【図３】
2006098439.tif 000005
【図４】
2006098439.tif 000006
【図５】
2006098439.tif 000007
【図６】
2006098439.tif 000008
【図７】
2006098439.tif 000009